(57)【要約】【課題】スケール長が長めに構成されたバリトンスケールのエレクトリックギターにおいて、幅広い音域の音を同時に鮮明に出力する。【解決手段】エレクトリックギターは、複数本の弦の振動を電気信号に変換して出力するピックアップと、電気信号を出力する出力部と、を備え、サドルからナットまでのスケール長が２７インチ以上に構成されている。ピックアップは、複数本の弦のうちの１又は複数本の低音弦の振動を単一の低音電気信号に変換する第二ピックアップと、複数本の弦のうちの低音弦よりも細い複数本の高音弦の振動を単一の高音電気信号に変換する第一ピックアップと、を含んで構成されている。そして、出力部は、低音電気信号と高音電気信号を、それぞれ独立した電気信号として出力するように構成されている。【選択図】図１
2020052069.tif 000002
【特許請求の範囲】
【請求項１】
サドルを備えるブリッジが固定されたボディと、
ナットが固定された単一のネックと、
前記サドルと前記ナットとの間に張られた複数本の弦の振動を電気信号に変換して出力するピックアップと、
前記電気信号を出力する出力部と、
を備え、
前記サドルから前記ナットまでのスケール長は２７インチ以上に構成され、
前記ピックアップは、
前記複数本の弦のうちの複数本の高音弦の振動を単一の高音電気信号に変換する第一ピックアップと、
前記複数本の弦のうちの前記高音弦よりも太い１又は複数本の低音弦の振動を単一の低音電気信号に変換する第二ピックアップと、
を含んで構成され、
前記出力部は、
前記高音電気信号と前記低音電気信号を、それぞれ独立した電気信号として出力するように構成されていることを特徴とするエレクトリックギター。
【請求項２】
前記出力部は、
前記ボディに設けられた高音出力端子と、
前記第一ピックアップと前記高音出力端子とを電気的に接続する高音回路と、
前記ボディに設けられた低音出力端子と、
前記第二ピックアップと前記低音出力端子とを電気的に接続する低音回路と、を含んで構成され、
前記高音出力端子は、前記低音出力端子と独立して構成されていることを特徴とする請求項１に記載のエレクトリックギター。
【請求項３】
前記第一ピックアップは、
前記複数本の高音弦の各弦の位置に対応して設けられた第一ポールピースと、
前記第一ポールピースの周囲に巻かれた第一コイルと、
を含んで構成され、
前記第二ピックアップは、
前記１又は複数本の低音弦の各弦の位置に対応して設けられた第二ポールピースと、
前記第二ポールピースの周囲に巻かれた第二コイルと、
を含んで構成され、
前記第一ピックアップは、前記第二ピックアップと別体に構成されていることを特徴とする請求項１又は２に記載のエレクトリックギター。
【請求項４】
前記スケール長が３０インチから３１インチの間に構成されていることを特徴とする請求項１乃至３の何れか１項に記載のエレクトリックギター。
【請求項５】
前記ナットの材質が真鍮で構成されていることを特徴とする請求項１乃至４の何れか１項に記載のエレクトリックギター。
【請求項６】
前記サドルと前記ナットとの間に、第一弦、第二弦、第三弦、第四弦の順に張られた４本の前記高音弦と、
前記第四弦に隣接して、前記サドルと前記ナットとの間に、第五弦、第六弦の順に張られた２本の前記低音弦と、
を備えることを特徴とする請求項１乃至５の何れか１項に記載のエレクトリックギター。
【請求項７】
前記高音弦は、０．０３２インチ以下のゲージにより構成され、
前記低音弦は、０．０４４インチ以上のゲージにより構成されている
ことを特徴とする請求項６に記載のエレクトリックギター。
【請求項８】
前記第五弦は、０．０５６インチから０．０７６インチの範囲のゲージにより構成され、
前記第六弦は、０．０４４インチから０．０５６インチの範囲のゲージにより構成されている
ことを特徴とする請求項６又は７に記載のエレクトリックギター。
【請求項９】
前記高音弦及び前記低音弦は、前記第六弦から前記第一弦の順に、開放音をＡ１−Ｅ１−Ａ２−Ｄ３−Ｆ＃３−Ｂ３とするチューニングが可能なゲージにより構成されていることを特徴とする請求項６乃至８の何れか１項に記載のエレクトリックギター。
【請求項１０】
前記高音弦及び前記低音弦は、前記第六弦から前記第一弦の順に、開放音をＥ１−Ａ１−Ｄ３−Ｇ３−Ｂ３−Ｅ４とするチューニングが可能なゲージにより構成されていることを特徴とする請求項６乃至８の何れか１項に記載のエレクトリックギター。
【発明の詳細な説明】
【技術分野】
【０００１】
本発明は、エレクトリックギターに係り、詳しくは、サドルからナットまでのスケール長が一般的なスケール長よりも長めに構成されたバリトンスケールのエレクトリックギターに関する。
【背景技術】
【０００２】
従来から種々のスケール長を有するエレクトリックギターが存在している。ギターのスケール長は、音色の他、弦のテンションやプレイアビリティに影響を与えるため、エレクトリックギターの特性を決める上での重要な要素の一つとなっている。例えば、米国フェンダー（登録商標）社のストラトキャスター（登録商標）は、レギュラースケール（或いはロングースケール）と呼ばれる２５．５インチ（６４７．７ｍｍ）のスケール長を採用している。また、米国ギブソン（登録商標）社のレスポール（登録商標）は、ミディアムスケールと呼ばれる２４．７５インチ（６２８．６５ｍｍ）のスケール長を採用している。
【０００３】
また、上述のレギュラースケールのギターよりも更に長いスケール長を採用したバリトンギターと総称されるモデルも存在する。バリトンギターは、具体的には、バリトンスケールと総称される２７インチから３０インチ程度のスケール長が採用されている。スケール長が長いほど、同一の周波数に対応する弦のテンションが大きくなる。このため、バリトンギターは、通常のレギュラーチューニング（Ｅ２−Ａ２−Ｄ３−Ｇ３−Ｂ３−Ｅ４）を数度下げたダウンチューニングを施すことが可能とされている。これにより、弦のテンションを維持しつつ、通常のレギュラーチューニングでは得られない独特の低音の音色を奏でることが可能となる。
【先行技術文献】
【非特許文献】
【０００４】
【非特許文献１】ウィキペディア  フリー百科事典、“フェンダー・ストラトキャスター”、［online］、［平成３０年９月１４日検索］、インターネット〈URL:https://ja.wikipedia.org/wiki/%E3%83%95%E3%82%A7%E3%83%B3%E3%83%80%E3%83%BC%E3%83%BB%E3%82%B9%E3%83%88%E3%83%A9%E3%83%88%E3%82%AD%E3%83%A3%E3%82%B9%E3%82%BF%E3%83%BC〉
【非特許文献２】ウィキペディア  フリー百科事典、“ギブソン・レスポール”、［online］、［平成３０年９月１４日検索］、インターネット〈URL:https://ja.wikipedia.org/wiki/%E3%82%AE%E3%83%96%E3%82%BD%E3%83%B3%E3%83%BB%E3%83%AC%E3%82%B9%E3%83%9D%E3%83%BC%E3%83%AB〉
【非特許文献３】ウィキペディア  フリー百科事典、“バリトン・ギター”、［online］、［平成３０年９月１４日検索］、インターネット〈URL:https://ja.wikipedia.org/wiki/%E3%83%90%E3%83%AA%E3%83%88%E3%83%B3%E3%83%BB%E3%82%AE%E3%82%BF%E3%83%BC〉
【発明の概要】
【発明が解決しようとする課題】
【０００５】
ところで、エレクトリックギターの弦の振動は、ピックアップと呼ばれる電磁コイルによって電気信号へと変換される。変換された電気信号は、エフェクタやアンプ等の外部機器に送られて信号処理が施された後、スピーカ等の出力装置から出力される。
【０００６】
ピックアップは、複数の弦振動を同時に拾って単一の電気信号へと変換する。つまり、ピックアップから出力される電気信号は、複数の弦の振動が混合されたものとなる。ここで、波長の短い高音域の弦振動から得られる電気信号は、波長の長い低音域の弦振動から得られる電気信号に埋もれる傾向がある。このため、例えば、上記のバリトンギターにダウンチューニングを施して使用する場合、一般的なレギュラースケールのギターにレギュラーチューニングを施して使用する場合に比べて、高音域が電気信号に反映され難いという課題がある。このような課題は、特にエレクトリックギターから出力される電気信号にディストーション等の音色効果を付加した場合に顕著に現れる。
【０００７】
本発明は、上述のような課題に鑑みてなされたもので、スケール長が長めに構成されたバリトンスケールのエレクトリックギターにおいて、幅広い音域の音を鮮明に出力することが可能なエレクトリックギターを提供することを目的とする。
【課題を解決するための手段】
【０００８】
第１の発明は、上記の課題を解決するため、エレクトリックギターであって、サドルを備えるブリッジが固定されたボディと、ナットが固定された単一のネックと、サドルとナットとの間に張られた複数本の弦の振動を電気信号に変換して出力するピックアップと、電気信号を出力する出力部と、を備えている。エレクトリックギターは、サドルからナットまでのスケール長は２７インチ以上に構成されている。ピックアップは、複数本の弦のうちの複数本の高音弦の振動を単一の高音電気信号に変換する第一ピックアップと、複数本の弦のうちの高音弦よりも太い１又は複数本の低音弦の振動を単一の低音電気信号に変換する第二ピックアップと、を含んで構成されている。そして、出力部は、高音電気信号と低音電気信号を、それぞれ独立した電気信号として出力するように構成されている。
【０００９】
第２の発明は、第１の発明において、更に以下の特徴を有する。
出力部は、ボディに設けられた高音出力端子と、第一ピックアップと高音出力端子とを電気的に接続する高音回路と、ボディに設けられた低音出力端子と、第二ピックアップと低音出力端子とを電気的に接続する低音回路と、を含んで構成されている。そして、高音出力端子は、低音出力端子と独立して構成されている。
【００１０】
第３の発明は、第１又は第２の発明において、更に以下の特徴を有する。
第一ピックアップは、複数本の高音弦の各弦の位置に対応して設けられた第一ポールピースと、第一ポールピースの周囲に巻かれた第一コイルと、を含んで構成されている。第二ピックアップは、１又は複数本の低音弦の各弦の位置に対応して設けられた第二ポールピースと、第二ポールピースの周囲に巻かれた第二コイルと、を含んで構成されている。そして、第一ピックアップは、第二ピックアップと別体に構成されている。
【００１１】
第４の発明は、第１乃至第３の何れか１つの発明において、更に以下の特徴を有する。
スケール長が３０インチから３１インチの間に構成されている。
【００１２】
第５の発明は、第１乃至第４の何れか１つの発明において、更に以下の特徴を有する。
ナットの材質が真鍮で構成されている。
【００１３】
第６の発明は、第１乃至第５の何れか１つの発明において、更に以下の特徴を有する。
サドルとナットとの間に、第一弦、第二弦、第三弦、第四弦の順に張られた４本の前記高音弦と、第四弦に隣接して、サドルと前記ナットとの間に、第五弦、第六弦の順に張られた２本の前記低音弦と、を備えている。
【００１４】
第７の発明は、第６の発明において、更に以下の特徴を有する。
高音弦は、０．０３２インチ以下のゲージにより構成され、低音弦は、０．０４４インチ以上のゲージにより構成されている。
【００１５】
第８の発明は、第６又は第７の発明において、更に以下の特徴を有する。
第五弦は、０．０５６インチから０．０７６インチの範囲のゲージにより構成され、第六弦は、０．０４４インチから０．０５６インチの範囲のゲージにより構成されている。
【００１６】
第９の発明は、第６乃至第８の何れか１つの発明において、更に以下の特徴を有する。
高音弦及び低音弦は、第六弦から第一弦の順に、開放音をＡ１−Ｅ１−Ａ２−Ｄ３−Ｆ＃３−Ｂ３とするチューニングが可能なゲージにより構成されている。
【００１７】
第１０の発明は、第６乃至第８の何れか１つの発明において、更に以下の特徴を有する。
高音弦及び低音弦は、第六弦から第一弦の順に、開放音をＥ１−Ａ１−Ｄ３−Ｇ３−Ｂ３−Ｅ４とするチューニングが可能なゲージにより構成されている。
【発明の効果】
【００１８】
第１の発明によれば、２７インチ（６８５．８ｍｍ）以上のスケール長を有するエレクトリックギターにおいて、複数本の高音弦の振動から得られる高音電気信号と、１又は複数本の低音弦の振動から得られる低音電気信号とが、それぞれ独立した電気信号として出力される。これにより、スケール長の長いギターから出力される低音弦の振動によって高音弦の振動が電気信号に反映され難くなることを防ぐことができるので、幅広い音域の音を鮮明に出力することが可能となる。
【００１９】
第２の発明によれば、エレクトリックギターのボディには、高音電気信号を出力するための高音出力端子と、低音電気信号を出力するための低音出力端子と、が独立して設けられている。このような構成によれば、エフェクタやアンプ等の外部機器を自由に選択してそれぞれの出力端子に接続することができるので、汎用性の高い構成で高音域の音と低音域の音とを個別に最適化することが可能となる。
【００２０】
第３の発明によれば、第一ピックアップは第二ピックアップと別体に構成されている。これにより、それぞれのピックアップの配置を個別に最適化することが可能となる。
【００２１】
第４の発明によれば、サドルからナットまでのスケール長が３０インチ（７６２ｍｍ）から３１インチ（７８７．４ｍｍ）に構成されている。これにより、例えば大幅なダウンチューニングを施した場合でも弦のテンション低下を抑えることができるので、ダウンチューニングによる演奏のプレイアビリティを向上することができる。
【００２２】
第５の発明によれば、ナットの材質が真鍮で構成されている。これにより、弦のテンションが低い場合に生じるサスティンの低下やアタックの低下を抑えることができる。
【００２３】
第６の発明によれば、エレクトリックギターには、第一弦から第四弦には高音弦が張られ、第五弦及び第六弦には低音弦が張られている。このような構成によれば、低音弦を用いたベースラインの演奏と高音弦を用いたコード演奏との両方のプレイアビリティを高めることが可能となる。
【００２４】
第７の発明によれば、４本の高音弦は、一般的なギター用途のゲージにより構成され、２本の低音弦は、一般的なベースギター用途のゲージにより構成される。これにより、高音弦の振動から得られる高音域のギターの音色と、低音弦の振動から得られる低音域のベースギターの音色とを、単一の弦楽器から独立して出力することが可能となる。
【００２５】
第８の発明によれば、第五弦は第六弦よりも太い０.０５６インチから０.０７６インチの範囲のゲージにより構成されている。これにより、第五弦を通常のチューニングよりも１オクターブ下げるような変則チューニングが可能となるので、低音弦の音域を更に低音側に拡げることが可能となる。
【００２６】
第９の発明によれば、通常のドロップＡチューニング（Ａ１−Ｅ２−Ａ２−Ｄ３−Ｆ＃３−Ｂ３）から第五弦の音を１オクターブ下げたチューニング（Ａ１−Ｅ１−Ａ２−Ｄ３−Ｆ＃３−Ｂ３）が可能に構成されている。このようなチューニングを施すと、ベースラインごとコードストロークするような演奏方法によって、低音弦からはベースギターを演奏しているかのような低音が出力される。これにより、ギターとベースギターとを同時に演奏しているような独特の音色を奏でることが可能となる。
【００２７】
第１０の発明によれば、通常のレギュラーチューニング（Ｅ２−Ａ２−Ｄ３−Ｇ３−Ｂ３−Ｅ４）から第五弦及び第六弦の音を１オクターブ下げたチューニング（Ｅ１−Ａ１−Ｄ３−Ｇ３−Ｂ３−Ｅ４）が可能に構成されている。このようなチューニングを施すと、レギュラーチューニングのギターと同じ運指で演奏することができるので、変則チューニングに馴染みが薄いギター演奏者であっても、通常のギターを演奏している感覚で独特の音色を奏でることが可能となる。
【図面の簡単な説明】
【００２８】
【図１】実施の形態１のエレクトリックギターの全体構成を説明するための図である。
【図２】実施の形態１のエレクトリックギターのボディの周囲を拡大した正面図である。
【図３】第一ピックアップ及び高音弦を抜粋して示す図である。
【図４】図３の高音弦及び第一ピックアップの内部をＡ方向から部分的に透視した図である。
【図５】第二ピックアップ及び低音弦を抜粋して示す図である。
【図６】図５の低音弦及び第一ピックアップの内部をＢ方向から部分的に透視した図である。
【図７】実施の形態１のエレクトリックギターのボディの周囲を拡大した斜視図である。
【図８】実施の形態１のエレクトリックギターの回路図である。
【図９】実施の形態１のエレクトリックギターに好適なゲージ選択の一例を示す図である。
【図１０】実施の形態１のエレクトリックギターにハイパードロップＡチューニングを施した場合の各弦の音域を示す図である。
【発明を実施するための形態】
【００２９】
以下、図面を参照して本発明の実施の形態について説明する。ただし、以下に示す実施の形態において各要素の個数、数量、量、範囲等の数に言及した場合、特に明示した場合や原理的に明らかにその数に特定される場合を除いて、その言及した数に、この発明が限定されるものではない。また、以下に示す実施の形態において説明する構造は、特に明示した場合や明らかに原理的にそれに特定される場合を除いて、この発明に必ずしも必須のものではない。
【００３０】
実施の形態１．
実施の形態１について図を参照して説明する。
【００３１】
１．実施の形態１のエレクトリックギターの全体構成
図１は、実施の形態１のエレクトリックギターの全体構成を説明するための図である。図１に示すように、本実施の形態のエレクトリックギター１００は、第一弦Ｇ１、第二弦Ｇ２、第三弦Ｇ３、第四弦Ｇ４、第五弦Ｇ５、及び第六弦Ｇ６が順に隣接して張られた６弦のエレクトリックギターとして構成されている。エレクトリックギター１００は、ボディ２と、ネック４とを有している。ボディ２には、弦の一端を固定するためのブリッジ８と、弦の振動を電気信号に変換するための第一ピックアップ３０及び第二ピックアップ４０とが固定されている。ブリッジ８には、弦の固定端を支持するサドル１０が設置されている。
【００３２】
ネック４は、複数のフレット（例えば２４フレット）が設けられた指板１２と、ペグ１８が設けられたヘッド１４と、により構成されている。指板１２のヘッド１４の側の端部には、弦の固定端を支持するためのナット１６が設置されている。サドル１０からナット１６までの距離は、弦の固定端間の距離に相当する。以下の説明では、この距離を「スケール長」Ｌと称する。
【００３３】
２．実施の形態１のエレクトリックギターの特徴
２−１．概要
実施の形態１のエレクトリックギター１００は、ギター音域に含まれる高音と、ベースギター音域に含まれる低音との両方を同時に且つ鮮明に奏でることを可能にした点に特徴を有している。具体的には、実施の形態１のエレクトリックギター１００は、スケール長にバリトンスケールを採用したこと、低音と高音とを分割して異なる出力系統からそれぞれ出力する構成を備えたこと、特殊なゲージ選択を施したこと、及び特殊なチューニングを施したことに特徴を有している。以下、それぞれの特徴について詳細に説明する。
【００３４】
２−２．バリトンスケール
実施の形態１のエレクトリックギター１００は、一般的なギターで採用されるレギュラースケール（２４．７５インチ）、ロングスケール或いはミディアムスケール（２５．５インチ）といったスケール長よりも長い２７インチ（６８５．８ｍｍ）以上のバリトンスケールが採用されている。スケール長が長いほど、同一の周波数に対応する弦のテンションが大きくなる。このため、ダウンチューニングの許容度を高めるためにはスケール長を延ばすことが有効であるが、スケール長が長いほどプレイアビリティは低下してしまう。一般的なベースギターのスケール長が３４インチ（８６３．６ｍｍ）程度であることを考慮すると、プレイアビリティの観点からのスケール長の上限は３５インチ（８８９ｍｍ）程度と考えられ、更に高度なギター演奏を行うことを考慮した現実的なスケール長の上限は３１インチ（７８７．４ｍｍ）程度と考えられる。
【００３５】
そこで、実施の形態１のエレクトリックギター１００では、ダウンチューニングの許容度とプレイアビリティとのバランスを考慮して、スケール長Ｌが２７インチ（６８５．８ｍｍ）から３１インチ（７８７．４ｍｍ）の間となるようにネック４の長さ及びブリッジ８の位置が設定されている。なお、実施の形態１のエレクトリックギター１００では、スケール長Ｌは、３０インチ（７６２ｍｍ）から３１インチの間に構成することが特に好ましく、最適値は３０インチとされている。
【００３６】
このように、スケール長Ｌを２７インチ以上に設定することにより、通常のレギュラーチューニング（Ｅ２−Ａ２−Ｄ３−Ｇ３−Ｂ３−Ｅ４）に対して大幅なダウンチューニング（例えば４度）を施して、低音域を活かした独特のサウンドを奏でることも可能となる。
【００３７】
２−３．出力を分割するための構成
エレクトリックギターの弦の振動は、ピックアップによって電気信号へと変換される。ここで、一般的なピックアップは、複数の弦振動を同時に拾って単一の電気信号へと変換する。つまり、ピックアップから出力される電気信号は、複数の弦の振動が混合されたものとなる。この際、波長の長い低音域の弦振動と波長の短い高音域の弦振動とが重なると、高音域の弦振動が電気信号に反映され難い傾向がある。上述したように、実施の形態１のエレクトリックギター１００では、スケール長Ｌを２７インチ以上に設定することにより、ダウンチューニングへの対応を可能としている。このため、ダウンチューニングによってギターの音域を通常のギターの音域よりも低音域へと下げると、高音が低音に埋もれる傾向が更に顕著になる。つまり、バリトンスケールを採用したエレクトリックギターでは、高音域の音と低音域の音とを同時に鮮明に奏でることに対して課題がある。この課題は、３０インチ以上のスケール長を有するギターに大幅なダウンチューニングを施して演奏する場合に看過することができない。特に、エフェクタ等の外部機器を用いて電気信号に歪み系の音色効果を付加すると、高音域の音の欠落が更に顕著に現れてしまう。
【００３８】
そこで、実施の形態１のエレクトリックギター１００は、低音域の音と高音域の音とを分割して別の出力系統から出力する構成に特徴を有している。図２は、実施の形態１のエレクトリックギターのボディの周囲を拡大した正面図である。図２に示すように、ボディ２のネック４の側には、第一ピックアップ３０が固定されている。第一ピックアップ３０は、高音側の弦Ｇ１、Ｇ２、Ｇ３及びＧ４の振動を電気信号へと変換する。以下の説明では、弦Ｇ１、弦Ｇ２、弦Ｇ３及び弦Ｇ４を「高音弦」と称し、第一ピックアップ３０により変換される電気信号を「高音電気信号」と称する。
【００３９】
図３は、第一ピックアップ及び高音弦を抜粋して示す図である。また、図４は、図３の高音弦及び第一ピックアップの内部をＡ方向から部分的に透視した図である。この図に示すように、第一ピックアップ３０は、４本の第一ポールピース３２と、第一ボビン３４と、第一コイル３６とを含んで構成されている。４本の第一ポールピース３２は、例えば永久磁石により構成され、各高音弦Ｇ１、Ｇ２、Ｇ３及びＧ４の位置に対応した位置となるように第一ボビン３４に固定されている。第一コイル３６は、例えば銅線等の巻線により構成され、４本の第一ポールピース３２の周囲を一体に覆うように第一ボビン３４に巻き回されている。
【００４０】
また、図２に示すように、ボディ２のブリッジ８側には、第二ピックアップ４０が固定されている。第二ピックアップ４０は、低音側の弦Ｇ５及びＧ６の振動を電気信号へと変換する。以下の説明では、弦Ｇ５及び弦Ｇ６を「低音弦」と称し、第二ピックアップ４０により変換される電気信号を「低音電気信号」と称する。
【００４１】
図５は、第二ピックアップ及び低音弦を抜粋して示す図である。また、図６は、図５の低音弦及び第一ピックアップの内部をＢ方向から部分的に透視した図である。この図に示すように、第二ピックアップ４０は、２本の第二ポールピース４２と、第二ボビン４４と、第二コイル４６とを含んで構成されている。２本の第二ポールピース４２は、第一ポールピース３２と同様に永久磁石等により構成され、各低音弦Ｇ５及びＧ６の位置に対応した位置となるように第二ボビン４４に固定されている。第二コイル４６は、例えば銅線等の巻線により構成され、２本の第二ポールピース４２の周囲を一体に覆うように第二ボビン４４に巻き回されている。
【００４２】
図２に示すように、ボディ２には、ボリューム調整ノブ２０と、トーン調整ノブ２２と、ピックアップ切替スイッチ２４とが設置されている。ボリューム調整ノブ２０は、高音電気信号と低音電気信号の両方の出力を同時に調整するノブである。また、トーン調整ノブ２２は、高音電気信号と低音電気信号の両方のトーンを同時に調整するノブである。さらに、ピックアップ切替スイッチ２４は、高音電気信号と低音電気信号の両方を出力する出力形態と、低音電気信号のみを出力する出力形態とを切り替えるスイッチである。
【００４３】
図７は、実施の形態１のエレクトリックギターのボディの周囲を拡大した斜視図である。ボディ２の側面には、電気信号を外部機器へ出力するための出力部として、高音出力端子２６及び低音出力端子２８が、それぞれ独立して設けられている。高音電気信号及び低音電気信号は、高音出力端子２６及び低音出力端子２８からそれぞれ独立して出力される。図８は、実施の形態１のエレクトリックギターの回路図である。この図に示すように、第一ピックアップ３０は、ピックアップ切替スイッチ２４、トーン調整ノブ２２及びボリューム調整ノブ２０の各回路を介して高音出力端子２６に電気的に接続されている。以下の説明では、第一ピックアップ３０と高音出力端子２６とを電気的に接続した回路を「高音回路」と称する。第一ピックアップ３０で変換された高音電気信号は、高音回路においてトーン及びボリュームを調整するための信号処理が施された後、高音出力端子２６から外部機器へ出力される。
【００４４】
また、第二ピックアップ４０は、ピックアップ切替スイッチ２４、トーン調整ノブ２２及びボリューム調整ノブ２０の各回路を介して低音出力端子２８に電気的に接続されている。以下の説明では、第二ピックアップ４０と低音出力端子２８とを電気的に接続した回路を「低音回路」と称する。第二ピックアップ４０で変換された低音電気信号は、低音回路においてトーン及びボリュームを調整するための信号処理が施された後、低音出力端子２８から外部機器へ出力される。
【００４５】
以上のように構成されたエレクトリックギター１００によれば、第一ピックアップ３０は、高音弦Ｇ１、Ｇ２、Ｇ３及びＧ４の振動のみを拾って高音電気信号へと変換することができる。また、第二ピックアップ４０は、低音弦Ｇ５及びＧ６の振動のみを拾って低音電気信号へと変換することができる。変換された高音電気信号及び低音電気信号は、高音出力端子２６及び低音出力端子２８からそれぞれ独立して出力される。これにより、例えば、３０インチのスケール長を有するエレクトリックギター１００にダウンチューニングを施して演奏する場合であっても、高音電気信号が低音電気信号に埋もれることを回避することができる。これにより、幅広い音域が鮮明に表現された厚みのある独特の音を出力することが可能となる。
【００４６】
また、実施の形態１のエレクトリックギター１００によれば、高音出力端子２６及び低音出力端子２８にそれぞれ異なる外部機器を接続することができる。これにより、例えば、高音電気信号及び低音電気信号のそれぞれに異なる音色効果を付加することもできる。これにより高音及び低音をそれぞれ最適化して独特の音色を創り出すことも可能となる。
【００４７】
また、実施の形態１のエレクトリックギター１００によれば、６本の弦振動を高音電気信号と低音電気信号の２つに分割してそれぞれを高音出力端子２６及び低音出力端子２８から出力する構成としている。これにより、例えば６本の弦振動をそれぞれ個別に電気信号に変換して６系統を出力するような過剰な構成を必要とせず、簡素で実用的な構成を実現することが可能となる。
【００４８】
また、実施の形態１のエレクトリックギター１００によれば、４本の弦Ｇ１、Ｇ２、Ｇ３及びＧ４が高音弦とされ、２本の弦Ｇ５及びＧ６が低音弦とされている。これにより、低音弦を用いたベースラインの演奏と、高音源を用いたコード演奏との両方のプレイアビリティを高めることができる。
【００４９】
また、実施の形態１のエレクトリックギター１００によれば、第一ピックアップ３０と第二ピックアップ４０とが別体で構成されている。このような構成によれば、第一ピックアップ３０及び第二ピックアップ４０の配置をそれぞれ個別に最適化することができる。
【００５０】
２−４．特殊なゲージ選択
実施の形態１のエレクトリックギター１００では、弦にバリトンスケールに適したゲージを選択することが好ましい。図９は、実施の形態１のエレクトリックギターに好適なゲージ選択の一例を示す図である。なお、この図に示す例は、エレクトリックギター１００に３０インチのスケール長を採用してダウンチューニングを施す場合に適したゲージを例示している。
【００５１】
図７に示すように、実施の形態１のエレクトリックギター１００において最適なゲージ選択は、Ｇ１（０.０１０インチ）、Ｇ２（０.０１３インチ）、Ｇ３（０.０１７インチ）Ｇ４（０.０２６インチ）、Ｇ５（０.０７２インチ）、Ｇ６（０.０５４インチ）とされる。図７に示すゲージ選択において特筆すべき点は、高音弦Ｇ１、Ｇ２、Ｇ３及びＧ４には一般的なギター用途のゲージが用いられ、低音弦Ｇ５及びＧ６には一般的なベースギター用途のゲージが用いられる点である。このようなゲージ選択によれば、低音弦ではベースギターを演奏しているような低音域の音を響かせつつ、高音弦ではギターを演奏しているような高音域の音を奏でることができる。これにより、演奏者は、実施の形態１のエレクトリックギター１００を演奏することにより、まるでギターとベースギターを同時に演奏しているかのような厚みのある独特の音色を響かせることが可能となる。
【００５２】
また、図９に示すゲージ選択では、低音弦Ｇ５のゲージ選択にも特徴を有している。すなわち、一般的なゲージ選択であれば、弦Ｇ５は弦Ｇ４よりも太く且つ弦Ｇ６よりも細いゲージが選択される。しかしながら、実施の形態１のゲージ選択では、低音弦Ｇ５に低音弦Ｇ６よりも更に太いゲージを選択している。このようなゲージ選択によれば、低音弦Ｇ５のチューニングを低音弦Ｇ６よりも更に低音側に下げることが可能となるため、例えば低音弦Ｇ５のチューニングを１オクターブ下げるような変則チューニングも可能となる。これにより、低音弦Ｇ５及びＧ６の音域を更に低音側へと下げることができるので、低音弦の音域をよりベースギターの音域に近づけることが可能となる。
【００５３】
２−５．特殊なチューニング
上述したように、実施の形態１のエレクトリックギター１００に３０インチのスケール長を採用した場合、弦のテンションを保ちつつ大幅なダウンチューニングを施すことが可能となる。実施の形態１のエレクトリックギター１００では、図９に示すゲージ選択との組み合わせによって、Ａ１−Ｅ１−Ａ２−Ｄ３−Ｆ＃３−Ｂ３へのダウンチューニングを可能としている。このダウンチューニングは、通常のレギュラーチューニング（Ｅ２−Ａ２−Ｄ３−Ｇ３−Ｂ３−Ｅ４）から第一弦Ｇ１から第五弦Ｇ５をそれぞれ４度下げ、第六弦Ｇ６のみを５度下げるいわゆる「ドロップＡ」チューニング（Ａ１−Ｅ２−Ａ２−Ｄ３−Ｆ＃３−Ｂ３）を基本とし、このドロップＡチューニングから更に第五弦Ｇ５を１オクターブ下げてＥ１としたチューニングである。以下の説明では、このチューニングを「ハイパードロップＡ」と称する。
【００５４】
図１０は、実施の形態１のエレクトリックギターにハイパードロップＡチューニングを施した場合の各弦の音域を示す図である。なお、図中の比較例１は、２１フレットの６弦ギターにレギュラーチューニングを施した場合の各弦の音域を示している。また、図中の比較例２は、２１フレットの４弦ベースギターにレギュラーチューニングを施した場合の各弦の音域を示している。なお、表中の数字はフレット番号を示し、０は開放音を示している。
【００５５】
図１０に示すように、実施の形態１のエレクトリックギター１００によれば、ハイパードロップＡチューニングによって、第五弦Ｇ５の開放音である最低音Ｅ１から第一弦Ｇ１の２４フレットの最高音Ｂ５までの音域をカバーすることができる。これにより、通常の４弦ベースギターの音域を完全にカバーするとともに、通常の６弦ギターの音域もほぼカバーすることが可能となる。また、実施の形態１のエレクトリックギター１００によれば、低音弦Ｇ５及びＧ６の音域が、４弦ベースギターの第四弦及び第三弦の音域と同等にチューニングされている。このため、ベースラインごとコードストロークするような演奏方法によって、ギターとベースギターの両方を弾いているような独特の音色を奏でることが可能となる。
【００５６】
２−６．その他の特徴
実施の形態１のエレクトリックギター１００は、ナットの材質がブラス（真鍮）で構成されている。このような材料選択によれば、弦のテンションが低いことによって失われる音のアタックを強調するとともに、音のサスティンを伸ばすことが可能となる。
【００５７】
３．変形例
実施の形態１のエレクトリックギター１００は、以下のように種々変形した態様を適用してもよい。
【００５８】
実施の形態１のエレクトリックギター１００では、弦Ｇ１から弦Ｇ４の４本を高音弦とし、弦Ｇ５及び弦Ｇ６の２本を低音弦としたが、高音弦と低音弦の組み合わせはこれに限られない。すなわち、プレイアビリティの低下は避けられないが、例えば弦Ｇ１から弦Ｇ５の５本を高音弦とし、弦Ｇ６の１本を低音弦としてもよい。また、例えば弦Ｇ１から弦Ｇ３までの３本を高音弦とし、弦Ｇ４から弦Ｇ６までの３本を低音弦としてもよい。
【００５９】
実施の形態１の第一ピックアップ３０は、４本の第一ポールピース３２の周囲に第一コイル３６を巻き回して４本の弦に共通の単一のコイルを形成する構成とした。しかしながら、第一ピックアップ３０は、各高音弦に対応した第一ポールピース３２にそれぞれ第一コイル３６を巻回してこれらを直列に接続したいわゆるスプリットコイル構造としてもよい。第二ピックアップ４０についても同様に、各低音弦に対応した第二ポールピース４２にそれぞれ第二コイル４６を巻回してこれらを直列に接続したいわゆるスプリットコイル構造としてもよい。また、第一ピックアップ３０は、各高音弦に対して複数本の第一ポールピース３２が対応する構成でもよい。このことは第二ピックアップ４０についても同様に、各低音弦に対して複数本の第二ポールピース４２が対応する構成でもよい。
【００６０】
ゲージの種類及びチューニングは実施の形態１にて採用したものに限られない。すなわち、採用するゲージについては、図９に記載した範囲内において、プレイアビリティや音色等を考慮して適宜選択することができる。また、チューニングについても、ゲージ選択や弦のテンション等を考慮して適宜選択することができる。
【００６１】
例えば、チューニングは、通常のレギュラーチューニングから低音弦Ｇ５及びＧ６のみを１オクターブ下げてＥ１−Ａ１−Ｄ３−Ｇ３−Ｂ３−Ｅ４としてもよい。以下の説明では、このチューニングを「スーパーボトムチューニング」と称する。スーパーボトムチューニングによれば、レギュラーチューニングの６弦ギターと同じ運指で演奏することができるので、変則チューニングに馴染みが薄いギター演奏者であっても、通常のギターを演奏している感覚で独特の厚みのある音色を奏でることが可能となる。
【符号の説明】
【００６２】
２  ボディ
４  ネック
８  ブリッジ
１０  サドル
１２  指板
１４  ヘッド
１６  ナット
１８  ペグ
２０  ボリューム調整ノブ
２２  トーン調整ノブ
２４  ピックアップ切替スイッチ
２６  高音出力端子
２８  低音出力端子
３０  第一ピックアップ
３２  第一ポールピース
３４  第一ボビン
３６  第一コイル
４０  第二ピックアップ
４２  第二ポールピース
４４  第二ボビン
４６  第二コイル
１００  エレクトリックギター
【図１】
2020052069.tif 000003
【図２】
2020052069.tif 000004
【図３】
2020052069.tif 000005
【図４】
2020052069.tif 000006
【図５】
2020052069.tif 000007
【図６】
2020052069.tif 000008
【図７】
2020052069.tif 000009
【図８】
2020052069.tif 000010
【図９】
2020052069.tif 000011
【図１０】
2020052069.tif 000012